(57)【要約】【課題】ユーザの身体の部位を挟み込んだ状態でマッサージを行うことを可能とするマッサージ器具を提供する。【解決手段】マッサージ器具１は、第１の棒状体１１と、第１の棒状体１１の長手方向の一方の端部において連結された第２の棒状体１２と、第１の棒状体１１における第２の棒状体１２が連結されない側の長手方向の端部に取り付けられた回転ローラー１３と、金属製の芯部１４と、芯部１４をカバーする覆い１５とを備えている。第２の棒状体１２における第１の棒状体１１に連結していない側の端部は、マッサージを行う際にユーザの口内のいずれかの場所に接触する弾性部１２１を有している。弾性部１２１は、ユーザの口内壁に接触しつつ、当該ユーザの口外壁に接触する回転ローラー１３とともに当該ユーザの身体の一部を挟み込み、回転ローラー１３によるマッサージを可能とする。【選択図】図１
2011104236.tif 000002
【特許請求の範囲】
【請求項１】
第１の棒状体と、
前記第１の棒状体に１の点において連結された第２の棒状体と、
前記第１の棒状体の一方の端部に、前記第１の棒状体の長手方向の中心軸の周りに回動可能に取り付けられた回転ローラーと
を備えるマッサージ器具であって、
前記第１の棒状体と前記第２の棒状体は前記１の点を支点として開閉可能であり、
ユーザが前記回転ローラーと前記第２の棒状体の一方の端部により身体の一部を挟み込むように前記第１の棒状体と前記第２の棒状体を前記１の点を支点として閉じつつ前記マッサージ器具を前記身体の一部に対し移動させた場合に、前記回転ローラーは回転し、前記身体の一部を押圧してマッサージを行う
マッサージ器具。
【請求項２】
前記第２の棒状体の前記一方の端部は、弾性部と前記弾性部を覆うカバーとを有し、
前記カバーは前記弾性部に対し着脱可能であり、
前記弾性部は前記カバーが外された状態でユーザの口内壁に接触しつつ、当該ユーザの口外壁に接触する前記回転ローラーとともに前記身体の一部を挟み込み、前記回転ローラーによるマッサージを可能とし、
前記カバーは前記弾性体を覆うように取り付けられた状態で前記回転ローラーとともにユーザの身体の外面の一部を挟み込み、前記回転ローラーによるマッサージを可能とする
請求項１に記載のマッサージ器具。
【請求項３】
前記第１の棒状体と前記第２の棒状体は前記第１の棒状体の少なくとも一部と前記第２の棒状体の少なくとも一部の内部に埋め込まれた金属製の芯部により連結されている
請求項１または２に記載のマッサージ器具。
【請求項４】
前記回転ローラーは、前記回転ローラーの回転の軸と垂直な方向に突出する１以上の突起を有する
請求項１乃至３のいずれかに記載のマッサージ器具。
【請求項５】
ユーザにより前記マッサージ器具に対し外部から力が加えられない状態において、前記第１の棒状体と前記第２の棒状体が、前記１の点を支点とする開閉における開状態を維持するように前記第１の棒状体および前記第２の棒状体に対し付勢する構成を備える
請求項１乃至４のいずれかに記載のマッサージ器具。
【発明の詳細な説明】
【技術分野】
【０００１】
本発明は、ユーザの身体に対してマッサージを行うマッサージ器具に関する。
【背景技術】
【０００２】
従来、回転軸を有する回転ローラーを使用して顔等の身体の部位のマッサージを行うマッサージ器具が、多く提案されている。それらは、主として、回転体であるローラーの押圧によりマッサージ効果を得るものである。
【０００３】
例えば、特許文献１のマッサージ器具は、２個の金属球を通した１本の金属線を曲げて全体が構成されるものであり、簡便な構造を有しつつ体全体のマッサージを行うことを可能としている。
【０００４】
また、特許文献２のマッサージ器具は、複数の筒状のローラーを有し、各ローラーの回転に必要な力を容易に変更可能とすることにより、良好な使用感が得られるようにしている。
【先行技術文献】
【特許文献】
【０００５】
【特許文献１】実登３１２９４０３号公報
【特許文献２】実登３１４５６３２号公報
【発明の概要】
【発明が解決しようとする課題】
【０００６】
しかし、上述の従来例は、マッサージの動作の支点が存在しないために、ユーザの身体の部位を挟み込んだ状態でのマッサージの動作を行うことが困難であるとともに、例えば耳のような、押圧によって形状が変化してしまうような部分に適用するには不都合であった。
【０００７】
そこで、本発明は、ユーザの身体の部位を挟み込んだ状態でマッサージを行うことを可能とするマッサージ器具を提供することを目的とする。
【課題を解決するための手段】
【０００８】
本発明は、上記の目的に鑑みて想到されたものであり、
第１の棒状体と、
前記第１の棒状体に１の点において連結された第２の棒状体と、
前記第１の棒状体の一方の端部に、前記第１の棒状体の長手方向の中心軸の周りに回動可能に取り付けられた回転ローラーと
を備えるマッサージ器具であって、
前記第１の棒状体と前記第２の棒状体は前記１の点を支点として開閉可能であり、
ユーザが前記回転ローラーと前記第２の棒状体の一方の端部により身体の一部を挟み込むように前記第１の棒状体と前記第２の棒状体を前記１の点を支点として閉じつつ前記マッサージ器具を前記身体の一部に対し移動させた場合に、前記回転ローラーは回転し、前記身体の一部を押圧してマッサージを行う
マッサージ器具
を提供する（第１の実施態様）。
【０００９】
また、上記の第１の実施態様において、
前記第２の棒状体の前記一方の端部は、弾性部と前記弾性部を覆うカバーとを有し、
前記カバーは前記弾性部に対し着脱可能であり、
前記弾性部は前記カバーが外された状態でユーザの口内壁に接触しつつ、当該ユーザの口外壁に接触する前記回転ローラーとともに前記身体の一部を挟み込み、前記回転ローラーによるマッサージを可能とし、
前記カバーは前記弾性体を覆うように取り付けられた状態で前記回転ローラーとともにユーザの身体の外面の一部を挟み込み、前記回転ローラーによるマッサージを可能とする
構成を採用してもよい（第２の実施態様）。
【００１０】
また、上記の第１または２の実施態様において、
前記第１の棒状体と前記第２の棒状体は前記第１の棒状体の少なくとも一部と前記第２の棒状体の少なくとも一部の内部に埋め込まれた金属製の芯部により連結されている
構成を採用してもよい（第３の実施態様）。
【００１１】
また、上記の第１乃至３のいずれかの実施態様において、
前記回転ローラーは、前記回転ローラーの回転の軸と垂直な方向に突出する１以上の突起を有する
構成を採用してもよい（第４の実施態様）。
【００１２】
また、上記の第１乃至４のいずれかの実施態様において、
ユーザにより前記マッサージ器具に対し外部から力が加えられない状態において、前記第１の棒状体と前記第２の棒状体が、前記１の点を支点とする開閉における開状態を維持するように前記第１の棒状体および前記第２の棒状体に対し付勢する構成を備える
構成を採用してもよい（第５の実施態様）。
【発明の効果】
【００１３】
本発明の第１の実施態様にかかるマッサージ器具によれば、ユーザの身体の一部を第１の棒状体と第２の棒状体とで挟み込んだ状態でマッサージを行うことができ、また押圧によって形状が変化してしまうような部分もマッサージを行うことができるため、その結果として、安定的にユーザの身体をマッサージして心地の良い状態で当該身体の一部の血行を良くすることができる。
【００１４】
本発明の第２の実施態様にかかるマッサージ器具によれば、弾性部および当該弾性部に着脱可能なカバーを有するので、第２の棒状体の端部をユーザの身体に接触させる際に、当該ユーザの身体の部位の特徴に応じて、当該弾性部と当該カバーとを好適に使い分けることができる。
【００１５】
本発明の第３の実施態様にかかるマッサージ器具によれば、金属性の芯部を有するので、第１の棒状体と第２の棒状体との開閉動作を繰り返しても、それらの連結部分が容易に破損することがない。
【００１６】
本発明の第４の実施態様にかかるマッサージ器具によれば、回転ローラーの有する突起が好適にユーザの身体を押圧できる。
【００１７】
本発明の第５の実施態様にかかるマッサージ器具によれば、外部から力が加えられない状態において、当該マッサージ器具の開状態を維持することができ、その結果として、マッサージを行う際の良好な使用感を得ることができる。
【図面の簡単な説明】
【００１８】
【図１】図１は、本発明の実施形態にかかるマッサージ器具の平面図である。
【図２】図２は、本発明の実施形態にかかるマッサージ器具の芯部付近の構成を説明する概略図である。
【図３】図３は、本発明の実施形態にかかるマッサージ器具の構成を説明する図である。
【発明を実施するための形態】
【００１９】
（実施形態）
以下、本発明の一具体例である実施形態を、図面を用いて説明する。図１は、本実施形態にかかるマッサージ器具１の平面図である。なお、図１（ｂ）は図１（ａ）に示される弾性部１２１を覆うようにカバー１２２を装着した状態のマッサージ器具１を示している。
【００２０】
マッサージ器具１は、第１の棒状体１１と、第１の棒状体１１の長手方向の一方の端部において連結された第２の棒状体１２と、第１の棒状体１１における第２の棒状体１２が連結されない側の長手方向の端部に取り付けられた回転ローラー１３と、金属製の芯部１４と、芯部１４をカバーする覆い１５とを備えている。
【００２１】
第１の棒状体１１は、合成樹脂製であり、概ね細長い円筒形状を有しているが、マッサージを行う際に握り易くするために長手方向に若干の曲率を有している。
【００２２】
マッサージを行う際に、第１の棒状体１１における第２の棒状体１２が対向しない側の側面にユーザの手のひらの人差し指から小指までの４本の指の付け根辺りが触れることとなり、第１の棒状体１１が長手方向に当該曲率を有していることにより、ユーザはマッサージ器具１を握り易くなる。
【００２３】
なお、第１の棒状体１１の長手方向の中心軸の長さは、例えば１４センチメートルである。
【００２４】
第１の棒状体１１の長手方向の一方の端部には回転ローラー１３が取り付けられており、第１の棒状体１１における回転ローラー１３が取り付けられていない側の長手方向の端部には第２の棒状体１２の長手方向の一方の端部が連結されている。
【００２５】
なお、第１の棒状体１１と第２の棒状体１２とは、芯部１４および覆い１５を介して、互いの長手方向の端部が連結されているものとする。
【００２６】
第２の棒状体１２は、合成樹脂製であり、概ね細長い円筒形状を有しているが、マッサージを行う際に握り易くするために長手方向に若干の曲率を有している。
【００２７】
マッサージを行う際に、第２の棒状体１２における第１の棒状体１１が対向しない側の側面にユーザの手のひらの親指の付け根辺りが触れることとなり、第２の棒状体１２が長手方向に当該曲率を有していることにより、ユーザはマッサージ器具１を握り易くなる。
【００２８】
なお、第２の棒状体１２の長手方向の中心軸の長さは、例えば２１センチメートルである。
【００２９】
第２の棒状体１２における第１の棒状体１１に連結していない側の端部は、マッサージを行う際にユーザの口内のいずれかの場所に接触する弾性部１２１を有している。
【００３０】
弾性部１２１は、ユーザの口内壁に接触しつつ、当該ユーザの口外壁に接触する回転ローラー１３とともに当該ユーザの身体の一部を挟み込み、回転ローラー１３によるマッサージを可能とする。
【００３１】
弾性部１２１は、第２の棒状体１２の一端を覆うようにして第２の棒状体１２の長手方向の一方の端部を構成している。
【００３２】
また、弾性部１２１は、合成樹脂製であり、マッサージを行う際にユーザの口内のいずれかの場所に接触するために、当該口内を痛めないようにある程度の弾性を有している。
【００３３】
また、弾性部１２１は、当該長手方向と垂直な断面が概ね楕円であり、全体としては楕円柱のような形状を有している。そして、弾性部１２１の長手方向の先端は、ユーザの口内壁と柔らかく接触させるために、概ね半球のような形状を有している。
【００３４】
なお、弾性部１２１の長手方向の長さは、例えば４センチメートルであり、当該長手方向と垂直でありかつ第１の棒状体１１および第２の棒状体１２の長手方向の中心軸がともに存在する平面と平行な方向の厚みが、例えば９ミリメートルであり、当該長手方向と垂直でありかつ当該厚みの方向と垂直な方向の長さが、例えば１４ミリメートルである。
【００３５】
カバー１２２は弾性部１２１に対して着脱可能であり、マッサージを行わない際に弾性部１２１を保護するとともにマッサージを行う際にユーザの顔の表面のいずれかの場所に接触し、弾性部１２１を覆うように取り付けられた状態で回転ローラー１３とともにユーザの身体の外面の一部を挟み込み、回転ローラー１３によるマッサージを可能とする。
【００３６】
第１の棒状体１１と第２の棒状体１２との連結部分においては、外部から力が加えられていない通常の状態では、第１の棒状体１１および第２の棒状体１２のそれぞれの長手方向の中心軸が約３０度の角度（開状態）で接するものとする。そして、当該角度は、ユーザが顔用マッサージ器具１を握ることにより弾性的に変化し（閉状態）、力を取り除くと元の開状態（すなわち、約３０度）に戻るようになっている。なぜなら、当該角度が開状態からずれると、当該開状態に戻るように、第１の棒状体１１および第２の棒状体１２がそれらの連結部において付勢されるからである。
【００３７】
回転ローラー１３は、合成樹脂製であり、弾性部１２１とともにユーザの顔もしくは口内のいずれかの場所を挟み込みながら、第１の本体部１２の長手方向の中心軸を軸として回転し、マッサージを行う。
【００３８】
回転ローラー１３は、回転の軸を中心軸とする概ね円柱形状を有している。当該円柱の長手方向の長さは、例えば５．５センチメートルであり、当該円柱の長手方向と垂直な断面を構成する円の直径は、例えば２センチメートルである。
【００３９】
また、回転ローラー１３は、回転ローラー１３の回転の軸と垂直な方向に突出する、マッサージを行う際にユーザの顔の表面を押圧するための複数の突起を有する。具体的には、これらの突起は、直径１センチメートルの半球状の形状で突出する。
【００４０】
芯部１４は、図２に示されるように、第１の棒状体１１の少なくとも一部と第２の棒状体１２の少なくとも一部の内部に埋め込まれており、第１の棒状体１１と第２の棒状体１２とを連結している。なお、芯部１４が存在することにより、ユーザが第１の棒状体１１と第２の棒状体１２との開閉を繰り返し行っても、マッサージ器具１が容易に破損しないという効果を有する。
【００４１】
また、マッサージ器具１は、芯部１４および覆い１５により、上述のように、第１の棒状体１１と第２の棒状体１２とが、外部から力を加えられていない場合に、上述の開状態を維持するように付勢される構成を有する。
【００４２】
具体的には、マッサージ器具１を分解すると、図３に示されるような構成となる。すなわち、芯部１４が第１の棒状体１１と第２の棒状体１２とを連結した状態で、覆い１５が当該連結部分をカバーして、マッサージ器具１全体が構成されることになる。
【００４３】
なお、覆い１５は、合成樹脂製であり、中空の「く」の字状の三次元形状を有する。
【００４４】
以上のような構成を有するマッサージ器具１の使用方法の例を、以下に説明する。
【００４５】
先ず、カバー１２２を外した状態のマッサージ器具１の使用方法の一例を以下に説明する。ユーザは、第１の棒状体１１が手のひらの人差し指から小指までの４本の指の付け根辺りにきて、第２の棒状体１２が手のひらの親指の付け根辺りにくるようにして、マッサージ器具１を握る。
【００４６】
次に、弾性部１２１を口の中に入れて、弾性部１２１が頬の裏側（上側の奥歯の辺り）に接触するようにする。なお、口の中はデリケートなので、弾性部１２１を強く押しつけたり、口の奥まで入れ過ぎたりしないようにする。
【００４７】
そして、回転ローラー１３が頬に当たるように第１の棒状体１１および第２の棒状体１２を軽く握り、上から下に向けて回転ローラー１３を転がす。そのまま、回転ローラー１３を、頬から唇にかけて転がしていく。この際、弾性部１２１が口の中に強く当たり過ぎない程度に、第１の棒状体１１および第２の棒状体１２を手のひらで握って、弾性部１２１と回転ローラー１３とで挟み付けるようにする。
【００４８】
さらに、頬から唇までの回転ローラー１３の転がしの動作を、８回繰り返す。片方の頬のマッサージが終わったら、同じ動作を反対側の頬で行う。このような動作による左右の頬のマッサージを１セットとして、左右交互に３セットのマッサージを行う。
【００４９】
以上のようなマッサージによって、お肌に心地よい状態で、顔の血行を良くし、緊張をほぐして疲労を取り去ることができる。
【００５０】
続いて、カバー１２２を装着した状態のマッサージ器具１の使用方法の一例を以下に説明する。先ず、カバー１２２がユーザの顔の中心線上の顎の裏側付近に接触し、回転ローラー１３がユーザの顔の顎の表側付近に接触するようにして、カバー１２２と回転ローラー１３とでユーザの顎の先を軽く挟む。
【００５１】
次に、顎を挟んだままで、耳に向かって回転ローラー１３を転がす。この際、第１の棒状体１１および第２の棒状体１２に対するユーザの手のひらによる押圧を、波状に強くしたり弱くしたりする。なお、この顎から耳までの動作において、８回程度の回数で挟み付けによる押圧の変化を行うとよい。また、この際、ユーザの顔を回転ローラー１３と逆の方向にゆっくり向けながらマッサージを行うと効果的である。
【００５２】
そして、回転ローラー１３の先端部分をユーザの耳の穴に軽く押し当てて、当該耳の外側からカバー１２２で軽く挟み付ける。この状態で、回転ローラー１３の回転の中心軸を軸として、カバー１２２を耳の前側から後側へ向けてぐるりと回す。この動作を３回繰り返す。
【００５３】
耳のマッサージが終わったら、回転ローラー１３をユーザの首に当てて、コロコロと転がす。この際、カバー１２２は使用しないので、ユーザの身体から遠ざける方向に位置させる。
【００５４】
さらに、上述の動作と同じ動作でユーザの身体における左右反対側を、マッサージする。以上のマッサージのための動作を１セットとして、３セットの動作を行う。
【００５５】
これにより、カバー１２２を外した状態のマッサージ器具１では実現できなかった種類のマッサージを行うことができ、結果として、ユーザの顔の血行を良くし疲労を取り去ることができる。
【００５６】
上述した実施形態は、本発明の技術的思想の範囲内で様々に変形が可能である。
【００５７】
例えば、上述のマッサージ器具１の各部分の長さを示した数値は、一例に過ぎず、状況に応じて変形が可能である。例えば、弾性部１２１の長手方向の長さを４センチメートルとしたが、口が小さい人のために当該長さを３センチメートルとしてもよい。
【００５８】
また、回転ローラー１３は、回転ローラー１３の回転の軸と垂直な方向に突出する、マッサージを行う際にユーザの顔の表面を押圧するための複数の突起を有するとしたが、特に問題がなければ、当該突起は無くてもよい。また、当該突起の形状および大きさは、任意である。
【００５９】
また、マッサージ器具１の各部分は芯部１４を除いて合成樹脂製であるとしたが、特に問題がなければ、弾性部１２１を除いて、アルミ等の金属で作られていてもよい。
【００６０】
また、特に問題がなければ、芯部１４もしくは覆い１５は設けられなくてもよい。この際、例えば、第１の棒状体１１と第２の棒状体１２とは、互いに連結された状態で一体成型されることが考えられる。そのような場合、マッサージ器具１は、一体成型された第１の棒状体１１と第２の棒状体１２との連結部分を構成する合成樹脂の部材により、第１の棒状体１１と第２の棒状体１２とが、外部から力を加えられていない場合に、上述の開状態を維持するように付勢される構成を有する。
【００６１】
また、芯部１４ではなくて、バネ構造によって、マッサージ器具１が上述の付勢のための構成を有するようにしてもよい。
【００６２】
また、特に問題がなければ、マッサージ器具１は、第１の棒状体１１と第２の棒状体１２とが、外部から力を加えられていない場合に、上述の開状態を維持するように付勢される構成を有していなくてもよい。
【００６３】
また、第１の棒状体１１および第２の棒状体１２は、長手方向に若干の曲率を有するものとしたが、特に問題がなければ、当該曲率は無くてもよい。
【００６４】
また、第１の棒状体１１と第２の棒状体１２とは、互いの長手方向の端部が連結されているものとしたが、そのような構成でなくとも、第１の棒状体１１の１の点において第２の棒状体が連結されていればよい。例えば、第１の棒状体１１と第２の棒状体１２とが、それらの連結点において回動するハサミのような構成を採用してもよい。
【００６５】
また、第１の棒状体１１と第２の棒状体１２との連結部分においては、外部から力が加えられていない通常の状態では、第１の棒状体１１および第２の棒状体１２のそれぞれの長手方向の中心軸が約３０度の角度（開状態）で接するものとしたが、当該角度はいかなる大きさであってもよい。
【００６６】
また、弾性部１２１は、特に問題がなければ、設けられなくてもよい。
【産業上の利用可能性】
【００６７】
本発明のマッサージ器具によれば、ユーザは、顔に限らず身体の概ねあらゆる部位のマッサージを行うことが可能であり、健康増進のための様々なシチュエーションで用いられることが期待される。
【符号の説明】
【００６８】
１…マッサージ器具、１１…第１の棒状体、１２…第２の棒状体、１２１…弾性部、１２２…カバー、１３…回転ローラー、１４…芯部、１５…覆い
【図１】
2011104236.tif 000003
【図２】
2011104236.tif 000004
【図３】
2011104236.tif 000005